(57)【要約】【課題】本発明は即時に電圧あるいは電流の瞬間変化を測定できるファンシステム及びその電源監視装置を提供して、ファンの構成部品を保護し、ファンシステムの使用寿命を延長することを課題とする。【解決手段】本発明の電源監視装置３は前記電源監視装置３は第一変調ユニット３１、第二変調ユニット３２及び比較ユニット３３を備える。第一変調ユニット３１及び第二変調ユニット３２は入力信号Ｓｉｎを受け、その入力信号Ｓｉｎを変調させてそれぞれ第一信号Ｓ１及び第二信号Ｓ２を発生させる。比較ユニット３３は第一変調ユニット３１及び第二変調ユニット３２に電気的に接続し、第一変調ユニット３１からの第一信号Ｓ１及び第二変調ユニット３２からの第二信号Ｓ２の差が所定のイニシャライズの範囲より高い時又は低い時に、出力端子Ｏからコントロール信号を出力する。【選択図】図３
2007282492.tif 000002
【特許請求の範囲】
【請求項１】
外部の電源から受けた入力信号を変調させて第一信号を発生させる第一変調ユニットと、
該入力信号を変調させて第二信号を発生させる第二変調ユニットと、
前記第一変調ユニット及び前記第二変調ユニットに電気的に接続され、第一入力端子、第二入力端子及び出力端子を有し、前記第一入力端子は前記第一信号を受け、前記第二入力端子は前記第二信号を受けて、前記第一信号及び前記第二信号の差が所定のイニシャライズ範囲より高い時又は低い時に、前記出力端子からコントロール信号を出力する比較ユニットとを備えることを特徴とする
電源監視装置。
【請求項２】
前記第一信号及び前記第二信号はそれぞれ電流信号あるいは電圧信号であることを特徴とする
請求項１に記載の電源監視装置。
【請求項３】
前記比較ユニットはコンパレーターであることを特徴とする
請求項１に記載の電源監視装置。
【請求項４】
前記第一変調ユニット及び前記第二変調ユニットは、変調回路によって構成され、前記変調回路は前記比較ユニットに電気的に接続することを特徴とする
請求項１に記載の電源監視装置。
【請求項５】
前記変調回路は、
その第一端が前記入力信号を受ける第一抵抗器と、
その第一端が前記第一抵抗器の第二端及び前記第一入力端子に電気的に接続する第二抵抗器と、
その第一端が前記入力信号を受け、前記第一抵抗器の前記第一端に電気的に接続する第三抵抗器と、
その第一端が前記第三抵抗器の第二端及び前記第二入力端子に電気的に接続し、その第二端が前記第二抵抗器の第二端に電気的に接続する第四抵抗器と、
その第一端が前記第二入力端子及び前記第四抵抗器の前記第一端に電気的に接続し、その第二端が前記第四抵抗器の前記第二端に電気的に接続するコンデンサーとを備えることを特徴とする
請求項４に記載の電源監視装置。
【請求項６】
外部の電源からの入力信号を受け、
前記入力信号を受けるモーターと、
第一変調ユニット、第二変調ユニット及び比較ユニットを備え、
前記第一変調ユニットは前記入力信号を受け、前記入力信号によって変調させて第一信号を発生させ、
前記第二変調ユニットは前記入力信号を受け、前記入力信号によって変調させて第二信号を発生させ、
前記比較ユニットは、前記第一変調ユニット及び前記第二変調ユニットに電気的に接続し、第一入力端子、第二入力端子及び出力端子を有し、前記第一入力端子は前記第一信号を受け、前記第二入力端子は前記第二信号を受けて、前記第一信号及び前記第二信号の差が所定のイニシャライズ範囲より高い時又は低い時に、前記出力端子からコントロール信号を出力する電源監視装置と、
前記モーター及び前記電源監視装置に電気的に接続し、前記コントロール信号を受け、前記コントロール信号によって、前記モーターの回転速度をコントロールする駆動装置とを備えることを特徴とする
ファンシステム。
【請求項７】
前記第一信号及び前記第二信号はそれぞれ電流信号あるいは電圧信号であることを特徴とする
請求項６に記載のファンシステム。
【請求項８】
前記比較ユニットはコンパレーターであることを特徴とする
請求項６に記載のファンシステム。
【請求項９】
前記第一変調ユニット及び前記第二変調ユニットは、変調回路によって構成され、前記変調回路は前記比較ユニットに電気的に接続することを特徴とする
請求項６に記載のファンシステム。
【請求項１０】
前記変調回路は、
その第一端が前記入力信号を受ける第一抵抗器と、
その第一端が前記第一抵抗器の第二端及び前記第一入力端子に電気的に接続する第二抵抗器と、
その第一端が前記入力信号を受け、前記第一抵抗器の前記第一端に電気的に接続する第三抵抗器と、
その第一端が前記第三抵抗器の第二端及び前記第二入力端子に電気的に接続し、その第二端が前記第二抵抗器の第二端に電気的に接続する第四抵抗器と、
その第一端が前記第二入力端子及び前記第四抵抗器の前記第一端に電気的に接続し、その第二端が前記第四抵抗器の前記第二端に電気的に接続するコンデンサーとを備えることを特徴とする
請求項９に記載のファンシステム。
【請求項１１】
前記駆動装置は駆動回路を有することを特徴とする
請求項６に記載のファンシステム。
【発明の詳細な説明】
【技術分野】
【０００１】
本発明は、ファンシステム及びその電源監視装置に関し、特に、電圧あるいは電流の瞬間的な変化を回避して、ファンの構成部品を保護するファンシステム及びその電源監視装置に関する。
【背景技術】
【０００２】
電子設備の機能に対する要求はますます高くなっている。各種の付属設備もそれに伴って多くなる。  
このため、使用される回路も複雑になった場合に回路がショートして高価な電子設備の破損を回避するために、電源監視装置は電子設備にとって不可欠な存在である。  
そして、この場合に、ファン・ファンモジュールあるいはモーターを応用することも例外ではない。
【０００３】
ファンあるいはモーターが作動する時、電源に瞬間的に変化が生じると、ファンあるいはモーターの回路が瞬間的に電流あるいは電圧の衝撃を受け、電流あるいは電圧のシャットダウン（shut down)現象が生じて、ファン自身の回路あるいはモーターが破損する。  
また、ファンの運転が停止したにもかかわらず、電子設備が引き続き運転を続けることで過熱現象を生じる。  
上述の問題を解決するために、通常、ファンは全て過電圧装置あるいは過電流監視装置が設置されて、電子設備あるいはファンが瞬間的な過電流あるいは瞬間的な過電圧の影響を受けるのを回避している。
【０００４】
図１を参照しながら説明する。  
従来の過電圧保護装置１はファンのモーターＭに電気的に接続し、２つの抵抗器Ｒ、Ｒ’及びプロセッサー１１を備える。  
プロセッサー１１は抵抗器Ｒ、Ｒ’に電気的に接続し、さらに、イニシャライズ電圧を設定する。  
過電圧保護装置１の動作は以下の通りである。  
抵抗器Ｒ、Ｒ’が外部から受けた電圧信号Ｖｉｎを分圧し、分圧信号ＶＳを発生させて、プロセッサー１１に送る。  
プロセッサー１１は分圧信号ＶＳと所定のイニシャライズ電圧とを比較し、分圧信号ＶＳが所定のイニシャライズ電圧より大きい時、プロセッサー１１がコントロール信号ＳＣをモーターＭに送ることにより、モーターＭの回転速度を下げる。
【０００５】
さらに、図２を参照しながら説明する。  
過電流保護装置２はファンのモーターＭに電気的に接続し、センサー抵抗器ＲＳ及びコントローラー２１を備える。  
コントローラー２１はセンサー抵抗器ＲＳに電気的に接続し、さらにイニシャライズ電流を設定する。  
過電流保護装置２の動作は以下の通りである。  
センサー抵抗器ＲＳが外部から受けた電圧信号Ｖｉｎを感知して電流信号ＩＳを発生させて、コントローラー２１に送る。  
コントローラー２１は電流信号ＩＳと所定のイニシャライズ電流とを比較して、電流信号ＩＳが所定のイニシャライズ電流より大きい時、コントローラー２１がコントロール信号ＳＣをモーターＭに送ることにより、モーターＭの回転速度を下げる。
【発明の開示】
【発明が解決しようとする課題】
【０００６】
しかしながら、ファンが過電圧保護装置１を使用する時は、ただ過電圧状況を測定するのみで、即時に瞬間電圧の変化を測定することはできないため、効果的にファンを保護することはできない。  
過電流保護装置２を使用する時は、測定する反応速度が遅いため、瞬間的に電圧変化によって発生する突入電流を抑制することができないので、ファンの構成部品が損傷を受けやすい。  
故に、過電圧保護装置１あるいは過電流保護装置２を使用する時、いずれの場合も即時に電流あるいは電圧の瞬間の変化状況を測定することができないため、効果的にファンを保護することができず、ファンの使用寿命が短くなる。
【０００７】
したがって、本発明は即時に電圧あるいは電流の瞬間変化を測定できるファンシステム及びその電源監視装置を提供して、ファンの構成部品を保護し、ファンシステムの使用寿命を延長することを課題とする。
【課題を解決するための手段】
【０００８】
上述の課題を解決するため、本発明による電源監視装置は外部の入力信号を受け、前記電源監視装置は第一変調ユニット、第二変調ユニット及び比較ユニットを備える。  
第一変調ユニットは入力信号を受け、その入力信号によって変調させて第一信号を発生させる。  
第二変調ユニットは入力信号を受け、その入力信号によって変調させて第二信号を発生させる。  
比較ユニットは第一変調ユニット及び第二変調ユニットに電気的に接続し、第一入力端子、第二入力端子及び出力端子を有する。  
第一入力端子は第一信号を受け、第二入力端子は第二信号を受けて、第一信号及び第二信号の差が所定のイニシャライズの範囲より高い時又は低い時に、出力端子からコントロール信号を出力する。
【０００９】
上述の課題を解決するため、本発明によるファンシステムは外部の入力信号を受け、前記ファンシステムはモーター、電源監視装置及び駆動装置を備える。  
モーターは入力信号を受ける。  
電源監視装置は第一変調ユニット、第二変調ユニット及に比較ユニットを備える。  
第一変調ユニットは、入力信号を受け、その入力信号によって変調させて第一信号を発生させる。  
第二変調ユニットは入力信号を受け、その入力信号によって変調させて第二信号を発生させる。  
比較ユニットは第一変調ユニット及び第二変調ユニットに電気的に接続し、第一入力端子、第二入力端子及び出力端子を有する。  
第一入力端子は第一信号を受け、第二入力端子は第二信号を受けて、第一信号及び第二信号の差が所定のイニシャライズの範囲より高い時又は低い時に、出力端子からコントロール信号を出力する。  
駆動装置は、モーター及び電源監視装置に電気的に接続し、コントロール信号を受け、そのコントロール信号によって、モーターの回転速度をコントロールする。
【００１０】
上述のように、本発明のファンシステム及びその電源監視装置は、電源監視装置が入力信号によって、第一変調ユニット、第二変調ユニット及び比較ユニットを利用して組み合わせることにより、第一信号及び第二信号の差と所定のイニシャライズの範囲を比較して、コントロール信号を発生させて駆動装置に送り、さらに、モーターの回転速度をコントロールする。  
したがって、従来の技術に比べ、本発明は即時に入力信号を監視し、電圧あるいは電流に瞬間的な変化が生じた時、ただちにコントロール信号を発生させることにより、モーターの回転速度を下げて、ファンの構成部品を保護すると同時に、入力信号が正常に戻った時、モーターの回転速度を元に戻してファンシステムを正常に作動させて、ファンシステムの使用寿命を延長させることを特徴とする。  
また、本発明の電源監視装置は、構造がシンプルでただちに電圧あるいは電流の瞬間的な変化を検知するので、大幅なコスト削減が可能である。
【発明の効果】
【００１１】
本発明のファンシステム及びその電源監視装置は、電源監視装置が入力信号によって、第一変調ユニット、第二変調ユニット及び比較ユニットを利用して組み合わせることにより、第一信号及び第二信号の差と所定のイニシャライズの範囲を比較して、コントロール信号を発生させて駆動装置に送り、さらに、モーターの回転速度をコントロールする。  
したがって、従来の技術に比べ、本発明は即時に入力信号を監視し、電圧あるいは電流に瞬間的な変化が生じた時、ただちにコントロール信号を発生させることにより、モーターの回転速度を下げて、ファンの構成部品を保護すると同時に、入力信号が正常に戻った時、モーターの回転速度を元に戻してファンシステムを正常に作動させて、ファンシステムの使用寿命を延長させることが可能である。  
また、本発明の電源監視装置は、構造がシンプルでただちに電圧あるいは電流の瞬間的な変化を検知するので、大幅なコスト削減が可能である。
【発明を実施するための最良の形態】
【００１２】
以下、図に基づいて本発明に係るファンシステム及び電源監視装置の好適な実施例について説明する。
【００１３】
図３を参照しながら説明する。  
本発明の好適な実施例の電源監視装置３は、外部の入力信号Ｓｉｎを受け、前記電源監視装置３は第一変調ユニット３１、第二変調ユニット３２及び比較ユニット３３を備える。  
電源監視装置３はファンシステムに適用される。
【００１４】
本実施例において、第一変調ユニット３１は入力信号Ｓｉｎを受け、その入力信号を変調させて第一信号Ｓ１を発生させる。  
第二変調ユニット３２は入力信号Ｓｉｎを受け、その入力信号を変調させて第二信号Ｓ２を発生させる。  
本実施例の第一信号Ｓ１及び第二信号Ｓ２は特に制限されず、電源監視装置３が監視する対象が電圧であるか、あるいは電流であるかによって決定される。  
故に、電源監視装置３が電圧を監視する時、第一信号Ｓ１及び第二信号Ｓ２は電圧信号である。  
電源監視装置３が電流を監視する時、第一信号Ｓ１及び第二信号Ｓ２は電流信号である。
【００１５】
さらに、図３に基づいて説明する。  
比較ユニット３３は、第一変調ユニット３１及び第二変調ユニット３２に電気的に接続し、第一入力端子Ｐ１、第二入力端子Ｐ２及び出力端子Ｏを有する。  
第一入力端子Ｐ１は第一信号Ｓ１を受け、第二入力端子Ｐ２は第二信号Ｓ２を受けて、第一信号Ｓ１及び第二信号Ｓ２の差が所定のイニシャライズ範囲より高い時又は低い時、出力端子Ｏはコントロール信号Ｓ３を出力する。  
本実施例の比較ユニット３３はコンパレーターであるが、比較ユニット３３は特に制限されず、プロセッサーあるいは演算増幅器（operational amplifier）によっても達成される。  
以下、演算増幅器を例に説明する。
【００１６】
図４を参照しながら説明する。  
本実施例の第一変調ユニット３１及び第二変調ユニット３２の構成は特に制限されない。  
ここでは、変調回路３１’によって構成され、変調回路３１’は、比較ユニット３３に電気的に接続する。
【００１７】
変調回路３１’は、第一抵抗器Ｒ１、第二抵抗器Ｒ２、第三抵抗器Ｒ３、第四抵抗器Ｒ４及びコンデンサーＣ１を備える。  
このうち、第一抵抗器Ｒ１の第一端は、入力信号Ｓｉｎを受け、第二抵抗器Ｒ２の第一端は、第一抵抗器Ｒ１の第二端及び第一入力端子Ｐ１に電気的に接続する。  
そして、第三抵抗器Ｒ３の第一端は、入力信号Ｓｉｎを受けて、第一抵抗器Ｒ１の第一端に電気的に接続する。  
第四抵抗器Ｒ４の第一端は、第三抵抗器Ｒ３の第二端及び第二入力端子Ｐ２に電気的に接続する。  
第四抵抗器Ｒ４の第二端は、第二抵抗器Ｒ２の第二端に電気的に接続する。  
コンデンサーＣ１の第一端は、第二入力端子Ｐ２及び第四抵抗器Ｒ４の第一端に電気的に接続する。  
コンデンサーＣ１の第二端は第四抵抗器Ｒ４の第二端に電気的に接続する。
【００１８】
電源監視装置３の動作は以下の通りである。  
変調回路３１’は外部からの入力信号Ｓｉｎを受け、第一抵抗器Ｒ１及び第二抵抗器Ｒ２は入力信号Ｓｉｎを変調させて、第一信号Ｓ１を発生させると同時に、即時に第一入力端子Ｐ１に送る。  
同時に、第三抵抗器Ｒ３及び第四抵抗器Ｒ４は入力信号Ｓｉｎを変調させて、コンデンサーＣ１に充電を行なうことにより、第二信号Ｓ２を発生させて即時に第二入力端子Ｐ２に送る。  
比較ユニット３３は、第一信号Ｓ１及び第二信号Ｓ２の差と比較ユニット３３内の所定のイニシャライズ範囲とを比較して、比較の結果に基づいて、第一信号Ｓ１及び第二信号Ｓ２の差が所定のイニシャライズ範囲より高い時又は低い時に、出力端子Ｏはコントロール信号Ｓ３を発生させる。  
本発明は、即時に入力信号Ｓｉｎを監視し、入力信号Ｓｉｎに瞬間的に電圧あるいは電流の変化が生じた時、第一信号Ｓ１もまた瞬間的に変化する。  
しかしながら、コンデンサーＣ１の充電作用により、第二信号Ｓ２の変化は徐々に瞬間的な変化をしなくなる。  
故に、第一信号Ｓ１と第二信号Ｓ２の差が所定のイニシャライズ範囲を超えると、比較ユニット３３がただちにコントロール信号Ｓ３を送って、モーターＭの回転速度を下げて、ファンの構成部品を保護する。  
そして、入力信号Ｓｉｎが正常に戻った時、コントロール信号Ｓ３がモーターＭの回転速度を元に戻す。
【００１９】
図５を参照しながら説明する。  
本発明の好適な実施例のファンシステム４は外部の入力信号Ｓｉｎを受け、ファンシステム４はモーターＭ、電源監視装置３及び駆動装置４１を備える。
【００２０】
本実施例において、モーターＭは入力信号Ｓｉｎを受ける。  
駆動装置４１は、モーターＭ及び電源監視装置３に電気的に接続する。  
本実施例の駆動装置４１は駆動回路（図示はされない）を有し、駆動回路の構成は特に制限されず、比較ユニット３３をプロセッサーに組み合わせることも可能である。
【００２１】
ファンシステム４の動作は以下の通りである。  
電源監視装置３及びモーターＭは同時に入力信号Ｓｉｎを受け、電源監視装置３が入力信号Ｓｉｎを受けて変調させることにより、比較ユニット３３がコントロール信号Ｓ３を発生させて、駆動装置４１に送ることで、モーターＭの回転速度をコントロールする。
【００２２】
図６を参照しながら説明する。  
本実施例は変調回路３１’をファンシステム４に応用する。  
電源監視装置３及び変調回路３１’の構成及び機能は、すでに上述の実施例において詳しく説明しているため、ここでは説明しない。
【００２３】
ファンシステム４は、電源監視装置３によって、入力信号Ｓｉｎに瞬間的変化が生じた時、ただちに監視並びにコントロール信号Ｓ３を発生させることで、駆動装置４１がコントロール信号Ｓ３に基づいてモーターＭの回転速度を下げることにより、ファンシステム４を保護する。  
そして、入力信号Ｓｉｎが正常に戻った時、コントロール信号Ｓ３がモーターＭの回転速度を元に戻す。
【００２４】
上述のように、本発明のファンシステム及びその電源監視装置は、電源監視装置が入力信号を監視して、第一変調ユニット、第二変調ユニット及び比較ユニットを組み合わせることにより、第一信号及び第二信号の差を所定のイニシャライズ範囲と比較して、コントロール信号を発生させて駆動装置に送り、さらに、モーターの回転速度をコントロールすることを特徴とする。  
従来の技術に比べ、本発明は即時に入力信号を監視し、瞬間的に電圧あるいは電流に変化が生じた時、ただちにコントロール信号を発生させて、モーターの回転速度を下げて、ファンの構成部品を保護する。そして、入力信号が正常に戻った時、モーターの回転速度を元に戻してファンの動作を正常に戻して、ファンの使用寿命を延長させることができる。  
また、本発明の電源監視装置は、構造がシンプルであり、電圧あるいは電流の変化を検知することが可能であるだけでなく、さらに、大幅なコスト削減が可能である。
【００２５】
以上、本発明の実施例を、図面を参照して詳述してきたが、具体的な構成は、これらの実施例に限られるものではなく、本発明の要旨を逸脱しない範囲の設計変更などがあっても、本発明に含まれる。
【図面の簡単な説明】
【００２６】
【図１】従来の過電圧保護装置を示した図である。
【図２】従来の過電流保護装置を示した図である。
【図３】本発明の好適な実施例の電源監視装置を示した図である。
【図４】本発明の好適な実施例の電源監視装置を示した図である。
【図５】本発明の好適な実施例のファンシステムを示した図である。
【図６】本発明の好適な実施例のファンシステムを示した図である。
【符号の説明】
【００２７】
１          過電圧保護装置
１１        プロセッサー
２          過電流保護装置
２１        コントローラー
３          電源監視装置
３１        第一変調ユニット
３１’      変調回路
３２        第二変調ユニット
３３        比較ユニット
４          ファンシステム
４１        駆動装置
Ｃ１        コンデンサー
ＩＳ        電流信号
Ｍ          モーター
Ｏ          出力端子
Ｐ１        第一入力端子
Ｐ２        第二入力端子
Ｒ，Ｒ’    抵抗器
ＲＳ        センサー抵抗器
Ｒ１        第一抵抗器
Ｒ２        第二抵抗器
Ｒ３        第三抵抗器
Ｒ４        第四抵抗器
Ｓ１        第一信号
Ｓ２        第二信号
Ｓ３，Ｓｃ  コントロール信号
Ｓｉｎ      入力信号
Ｖｉｎ      電圧信号
Ｖｓ        分圧信号
【図１】
2007282492.tif 000003
【図２】
2007282492.tif 000004
【図３】
2007282492.tif 000005
【図４】
2007282492.tif 000006
【図５】
2007282492.tif 000007
【図６】
2007282492.tif 000008